(57)【要約】  指向性スピーカーおよびこれを具備するディスプレイ装置を提供する。特に、ディスプレイ装置は一対の指向性スピーカーをサラウンドスピーカーとして含み、各指向性スピーカーは、音を発生させるためのドライバーユニット、および一面上に線形に整列された音放射孔を有するガイド管を含む。
2020501453.tif 000002
【特許請求の範囲】
【請求項１】
ディスプレイ装置であって、
画面を表示するように構成されたディスプレイユニット、および
前記ディスプレイユニットの互いに反対側に対称配置された一対の指向性スピーカーを含み、
前記一対の指向性スピーカーのそれぞれは、
音を発生させるように構成されたドライバーユニット、および
中空の管の形状を有し、前記ドライバーユニットによって発生する音を外部に放射して案内するように構成されたガイド管を含み、
前記ガイド管は、前記ガイド管の表面上に線形に整列された複数の音放射孔を含む、ことを特徴とするディスプレイ装置。
【請求項２】
前記ガイド管は前記ディスプレイユニット上で水平に延び、
前記複数の音放射孔は前記ガイド管の上面上にある、ことを特徴とする請求項１に記載のディスプレイ装置。
【請求項３】
前記ガイド管の内部は、前記ガイド管の前記ドライバーユニット側の第１一端から前記ガイド管の前記第１一端の反対側である第２一端へ向かって減少する断面積を有する、ことを特徴とする請求項１に記載のディスプレイ装置。
【請求項４】
前記ガイド管は、前記複数の音放射孔が線形に整列された音放射面を有し、
前記音放射面は前記ガイド管の長さ方向に対して鋭角をなす、ことを特徴とする請求項１に記載のディスプレイ装置。
【請求項５】
前記複数の音放射孔は、前記ガイド管の前記ドライバーユニット側の第１一端から前記ガイド管の前記第１一端の反対側である第２一端に向かって変わる大きさを有する、ことを特徴とする請求項１に記載のディスプレイ装置。
【請求項６】
前記複数の音放射孔は同じ大きさを有する、ことを特徴とする請求項１に記載のディスプレイ装置。
【請求項７】
前記複数の音放射孔間の間隔は、前記ガイド管の前記ドライバーユニット側の第１一端から前記ガイド管の前記第１一端の反対側である第２一端へ向かって変わる、ことを特徴とする請求項１に記載のディスプレイ装置。
【請求項８】
前記複数の音放射孔は一定の間隔で配列された、ことを特徴とする請求項１に記載のディスプレイ装置。
【請求項９】
中空の管の形状を有し、前記ドライバーユニットと前記ガイド管の間に配置されたスロート管をさらに含み、
前記スロート管は、前記ドライバーユニットに隣接し、前記スロート管の隣接する部分より小さい幅を有するスロート部を具備する、ことを特徴とする請求項１に記載のディスプレイ装置。
【請求項１０】
前記ガイド管の第２一端を覆うように構成されたキャップをさらに含み、前記第２一端は、開放され、前記ガイド管の前記ドライバーユニット側上の第１一端の反対側である、ことを特徴とする請求項１に記載のディスプレイ装置。
【請求項１１】
前記キャップは、Ｖ状の溝に到達する音が互いに相殺干渉できるように、前記ガイド管の前記第２一端に対向する内面上に前記溝を有する、ことを特徴とする請求項１０に記載のディスプレイ装置。
【請求項１２】
前記ガイド管の前記第２一端に対向する前記キャップの内面上に配置された吸音材をさらに含む、ことを特徴とする請求項１０に記載のディスプレイ装置。
【発明の詳細な説明】
【技術分野】
【０００１】
一つ以上の例示的な実施例に符合する装置および方法は、指向性スピーカー、および指向性スピーカーをサラウンドスピーカーとして含むディスプレイ装置に関する。
【０００２】
本願は、２０１６年１２月９日付韓国特許庁に出願された大韓民国特許出願番号第１０−２０１６−０１６７５３９号の優先権を主張し、その開示内容の全文は本願に参考として援用される。
【背景技術】
【０００３】
ディスプレイ装置は、画像信号を受信することによって画面を表示する装置である。ディスプレイ装置の例としては、ＴＶ（ｔｅｌｅｖｉｓｉｏｎ）、モニターなどが含まれる。
【０００４】
ディスプレイ装置は、画面を表示するように構成されたディスプレイユニットと、ディスプレイユニットを支持するように構成されたスタンドを含む。
【０００５】
ディスプレイユニットの内部には音を出力するスピーカーが配置される。スピーカーは、ディスプレイユニットの下部に配置されてディスプレイ装置の前方側に位置した視聴者がその前方側からオーディオを受信できるようにするフロントスピーカーと、ディスプレイユニットの互いに対向する後方側に配置され、視聴者が前方の両側からオーディオを受信できるようにするサラウンドスピーカーを含む。
【０００６】
最近、ディスプレイユニットの厚さはより良好なデザインを考慮し減少してきた。しかし、ディスプレイユニットがディスプレイ装置の動作を制御するための印刷回路基板（ＰＣＢ）またはスピーカーを収容しなければならないため、その厚さを減少させることには限界がある。
【０００７】
したがって、スリムに見えるディスプレイユニットを有する関連技術のディスプレイ装置は、両側のエッジの厚さを減少させつつ、スピーカーとＰＣＢを収容するようにディスプレイユニットの中央部分の厚さを増加させてきた。
【発明の概要】
【発明が解決しようとする課題】
【０００８】
一つ以上の例示的な実施例の形態は、ガイド管の外側にドライバーユニットによって発生する音を効率的に放射する指向性スピーカーを提供する。
【０００９】
一つ以上の例示的な実施例の形態は、また、サラウンドスピーカーがディスプレイユニットの中心領域に配置されてもサラウンド効果を有するディスプレイ装置を提供する。
【００１０】
追加の形態は、下記の説明で部分的に説明し、部分的には、その説明から明白であり、または本開示内容の実施によって学習されてもよい。
【課題を解決するための手段】
【００１１】
例示的な一実施例の形態によると、指向性スピーカーを提供し、前記指向性スピーカーは、音を発生させるように構成されたドライバーユニット、第１一端と開放されている第２一端がある中空の管の形状を有し、前記ドライバーユニットによって発生し前記第１一端を通じて受信される音を案内するように構成されたガイド管、および前記ガイド管の前記第２一端を覆うように構成されたキャップを含み、前記ガイド管は、前記ガイド管の第１表面上に複数の音放射孔を含み、前記ガイド管の内部は、前記ガイド管の前記第１一端から前記ガイド管の前記第２一端へ向かって減少する断面積を有し、前記キャップは、Ｖ状の溝に到達する音が互いに相殺干渉するように前記ガイド管の前記第２一端に対向する内面上にその溝を有する。
【００１２】
また、前記複数の音放射孔は、前記ガイド管の前記ドライバーユニット側の前記第１一端から前記ガイド管の前記第１一端の反対側である前記第２一端へ向かって変わる大きさを有し得る。
【００１３】
前記複数の音放射孔は同じ大きさを有し得る。
【００１４】
前記複数の音放射孔間の間隔は、前記ガイド管の前記ドライバーユニット側の前記第１一端から前記ガイド管の前記第１一端の反対側である前記第２一端へ向かって減少し得る。
【００１５】
前記複数の音放射孔は一定の間隔で第１面上に整列され得る。
【００１６】
前記指向性スピーカーは、中空の管の形状を有し前記ドライバーユニットと前記ガイド管の間に配置されたスロート管をさらに含み、前記スロート管は、前記ドライバーユニットと隣接するように設けられて前記スロート管の隣り合う部分より小さい幅を有するスロート部をさらに有することができる。
【００１７】
前記指向性スピーカーは、前記ガイド管の前記第２一端に対向する前記キャップの内面上に吸音材をさらに含むことができる。
【００１８】
例示的な他の一実施例の形態によると、ディスプレイ装置を提供し、前記ディスプレイ装置は、画面を表示するように構成されたディスプレイユニット、および前記ディスプレイユニットの互いに反対側に対称配置された一対の指向性スピーカーを含み、前記一対の指向性スピーカーのそれぞれは、音を発生させるように構成されたドライバーユニット、および中空の管の形状を有し、前記ドライバーユニットによって発生する音を外部に放射して案内するように構成されたガイド管を含み、前記ガイド管は、前記ガイド管の表面上に線形に整列された複数の音放射孔を含む。
【００１９】
前記ガイド管はディスプレイ上で水平に延長され得、前記複数の音放射孔は前記ガイド管の上面上に存在し得る。
【００２０】
前記ガイド管の内部は、前記ガイド管の前記ドライバーユニット側の第１一端から前記ガイド管の前記第１一端の反対側である第２一端へ向かって減少する断面積を有することができる。
【００２１】
前記ガイド管の第１面は、前記ガイド管の長さ方向に対して鋭角をなし得る。
【００２２】
前記複数の音放射孔は、前記ガイド管の前記ドライバーユニット側の前記第１一端から前記ガイド管の前記第１一端の反対側である前記第２一端へ向かって変わる大きさを有することができる。
【００２３】
前記複数の音放射孔は同じ大きさを有し得る。
【００２４】
前記複数の音放射孔間の間隔は、前記ガイド管の前記ドライバーユニット側の前記第１一端から前記ガイド管の前記第１一端の反対側である前記第２一端へ向かって変わり得る。
【００２５】
前記複数の音放射孔は一定の間隔で第１表面上に配列され得る。
【００２６】
前記ディスプレイ装置は、中空の管の形状を有し前記ドライバーユニットと前記ガイド管の間に配置されたスロート管をさらに含むことができ、前記スロート管は、前記ドライバーユニットに隣接して前記スロート管の隣接する部分より小さい幅を有するスロート部を具備することができる。
【００２７】
前記ディスプレイ装置は、前記ガイド管の前記第２一端を覆うように構成されたキャップをさらに含むことができ、前記第２一端は、前記ガイド管の前記ドライバーユニット側上の前記第１一端の反対側であり得る。
【００２８】
前記キャップは、Ｖ状の溝に到達する音が互いに相殺干渉できるように前記ガイド管の前記第２一端に対向する内面上に前記溝を有することができる。
【００２９】
前記ディスプレイ装置は、前記ガイド管の前記第２一端に対向する前記キャップの内面上に配置された吸音材をさらに含むことができる。
【００３０】
例示的なさらに他の一実施例の形態によると、ディスプレイ装置を提供し、前記ディスプレイ装置は、画面を表示するように構成されたディスプレイ、互いに対向するように前記ディスプレイの上部に配置された一対の第１指向性スピーカー、および互いに対向するように前記ディスプレイの側部に配置された一対の第２指向性スピーカーを含み、前記一対の第１指向性スピーカーのそれぞれ、および前記一対の第２指向性スピーカーのそれぞれは、音を発生させるように構成されたドライバーユニット、および中空の管の形状を有し前記ドライバーユニットによって発生する音を外側に放射して案内するように構成されたガイド管を含み、前記一対の第１指向性スピーカーに含まれた前記ガイド管は自分の上面上に線形整列された複数の音放射孔をそれぞれ含み、前記一対の第２指向性スピーカーに含まれた前記ガイド管は自分の側面上に線形整列された複数の音放射孔をそれぞれ含み、前記一対の第１指向性スピーカーに含まれた前記ガイド管は、前記一対の第２指向性スピーカーに含まれた前記ガイド管の整列方向に垂直な方向に整列される。
【発明の効果】
【００３１】
前述したように、一つ以上の例示的な実施例に係る指向性スピーカーは、一端から他端に次第に減少する断面積を有するガイド管および他の場合には開放されているガイド管の他端に配置され、音を減殺させるキャップを含むため、音がより効率的にガイド管の外側に放射され得るだけでなく音の反射によって発生するノイズを減少できる。
【００３２】
また、一つ以上の例示的な実施例に係るディスプレイ装置が指向性スピーカーをサラウンドスピーカーとして使うため、指向性スピーカーを使って具現されるサラウンドスピーカーをディスプレイ装置の中心領域に配置しても、指向性スピーカーによってサラウンド効果をそのまま維持できる。
【図面の簡単な説明】
【００３３】
本発明の形態および／またはその他の形態は、添付図面と下記の例示的な実施例の説明から明白となり、さらに容易に理解できるはずである。
【００３４】
【図１】本発明の例示的な第１実施例に係る指向性スピーカーの斜視図である。
【図２】本発明の例示的な第１実施例に係る指向性スピーカーの分解斜視図である。
【図３】本発明の例示的な第１実施例に係る指向性スピーカーの断面図である。
【図４】図３のＡ部の拡大図である。
【図５】図３のＢ部の拡大図である。
【図６】本発明の例示的な第１実施例に係る指向性スピーカーが含まれたディスプレイ装置の正面図である。
【図７】本発明の例示的な第２実施例に係る指向性スピーカーの斜視図である。
【図８】本発明の例示的な第３実施例に係る指向性スピーカーの斜視図である。
【図９】本発明の例示的な第４実施例に係る指向性スピーカーの断面図である。
【図１０】本発明の例示的な第５実施例に係る指向性スピーカーの断面図である。
【図１１】本発明の例示的な第６実施例に係る指向性スピーカーの断面図である。
【図１２】本発明の例示的な第７実施例に係る指向性スピーカーの断面図である。
【図１３】本発明の例示的な第８実施例に係る指向性スピーカーの断面図である。
【図１４】本発明の例示的な第９実施例に係るドライバーユニットおよびスロート管の断面図である。
【図１５】本発明の例示的な第１０実施例に係る指向性スピーカーが含まれたディスプレイ装置の正面図である。
【発明を実施するための形態】
【００３５】
以下、例示的な実施例を詳細に説明し、その例は添付図面に例示されており、添付図面で類似する参照番号は図面の全体に亘って類似する要素を指し示す。しかし、本発明は、多くの異なる形態で具現され得、本願で説明する例示的な実施例に限定されるものと解釈されてはならず、例示的な実施例は、本発明内容が徹底かつ完全となるように提供するものであり、通常の技術者に本発明の概念を完全に伝達するはずである。
【００３６】
本明細書に使う用語は、単に特定の例示的な実施例を説明するために使用するものであって、本開示内容を限定しようとするものではない。単数の表現は、文脈上明確に他の意味でなければ複数の表現を含む。本明細書で、「含む」または「有する」などの用語は明細書に開示した特徴、数、動作、構成要素、部品、またはこれらの組合せの存在を表すためのものであって、一つ以上の他の特徴、数、動作、構成要素、部品、またはこれらの組合せの存在または追加され得る可能性を排除しないものと理解されるべきである。
【００３７】
「第１」、「第２」などの用語は、本願で多様な要素の説明に使用するが、これらの要素はこれらの用語によって限定されるものではないことが理解できるはずである。前記用語はある構成要素を他の構成要素から区別するためにのみ使用する。例えば、以下で議論する第１構成要素は第２構成要素と命名され得、同様に、第２構成要素は本開示内容の教示を逸脱することなく第１構成要素と命名され得る。本願で使用する、「および／または」という用語は、関連した列挙された項目のうち一つ以上の任意のすべての組合せを含む。同様に、要素のリストに後続する「のうちの少なくとも一つ」のような表現は、要素の全体のリストを修正し、そのリストの個別要素を修正しない。
【００３８】
また、明細書全体に亘って使用する、「前端」、「後端」、「上側」、「下側」、「上端」、「下端」などの用語は図面に基づいて定義されたものであって、各要素の形状と位置はこれらの用語によって限定されない。
【００３９】
以下、添付図面を参照して第１実施例に係る指向性スピーカー１を詳細に説明する。
【００４０】
図１〜図３に図示した通り、例示的な実施例に係る指向性スピーカー１は、音を発生させるように構成されたドライバーユニット１１、および中空の管の形状に形成され、スロート管１３に連結され、ドライバーユニット１１から受信される音を外側に放射して案内するように構成されたガイド管１２を含む。スロート管１３は、ドライバーユニット１１とガイド管１２の間に配置され、その一端はドライバーユニット１１に提供されるか連結され、他端はガイド管１２の一端に連結される。指向性スピーカー１はまた、他の状況では開放されたガイド管１２の他端を覆うキャップ１４を有する。
【００４１】
ドライバーユニット１１は、図４に図示した通り、電気信号を受信すると磁力を発生させる電磁石１１ａ、および電磁石１１ａにより振動しながら音を発生させるダイアフラム１１ｂを含む。
【００４２】
スロート管１３は、スロート管１３の内部が（例えば、ガイド管１２に向かって）次第に増加する幅を有するように中空の管の形状に形成されるか提供される。したがって、スロート管１３は、急激な圧力変化によって誘発され得る騒音を減少させるとともに、ドライバーユニット１１により発生する音をガイド管１２に向かって案内することができる。
【００４３】
図２に図示した通り、ガイド管１２は、音を外部に放射するようにガイド管１２の長さ方向にガイド管１２の側面上に線形整列された複数の音放射孔１２ａを有する。例示的な一実施例によると、音放射孔１２ａは一定の間隔で互いに離隔する。
【００４４】
円形孔状に形成されるか円形孔状を有する音放射孔１２ａは、ガイド管１２のドライバーユニット１１側に配置された一端から反対側に配置されたガイド管１２の他端側に大きさが増加する。このような構造は、ガイド管１２の他端により近く配置された音放射孔１２ａを通じて、より多量の音を放射できるようにするため、ガイド管１２の長さ方向に対応する方向に、発生する音の指向性を改善できる。
【００４５】
中空の管の形状のガイド管１２は略長方形の断面を有する。また、音放射孔１２ａを有する面は、音が放射される音放射面１２ｂを構成する。
【００４６】
前述した通り、音放射孔１２ａがガイド管１２の音放射面１２ｂ上に線形に整列されると、スロート管１３を通じて受信される音は、スロート管１３を通じて伝達される間、音放射孔１２ａのそれぞれを通じてガイド管１２の外部に放射される。
【００４７】
音は伝達媒体である空気を通じての圧力変化によって伝播する音響波であるため、ガイド管１２上に線形に整列された音放射孔１２ａを通じて時間差を持って放射される音は、互いに相殺干渉および補強干渉し得る。音が互いに干渉する間、音はガイド管１２の長さ方向に対応する方向に指向性を有する。すなわち、例示的な本実施例に係る指向性スピーカー１は、音放射孔１２ａを有するガイド管１２の構造によって指向性スピーカーとして動作する。
【００４８】
例示的な本実施例に係る中空管に形成されたガイド管１２の内部は、ドライバーユニット１１側上に配置された一端から反対側上の他端（すなわち、キャップ１４が位置する一端）に向かって次第に減少する断面積を有する。
【００４９】
ガイド管１２に到達する音は、ガイド管１２を通過しながら音放射孔１２ａを通じて順次放射される。したがって、ガイド管１２を通過しながら音圧が次第に減少するが、他の音放射孔１２ａを通じて放射される音圧と同等の水準の音圧を有する音は、前述した通り、ガイド管１２の内部断面積が次第に減少する構造によって、ガイド管１２の他端に、より近く位置する音放射孔１２ａから放射され得る。
【００５０】
また、前述した通り、ガイド管１２の内部断面積がガイド管１２の一端からガイド管の他端へ向かって次第に減少すると、ガイド管１２を通過する殆どの音は音放射孔１２ａを通じて外部に放射されて、ドライバーユニット１１により発生する音が外部に、より効率的に放射される。また、より多くの音が音放射孔１２ａを通じて放射されることによって、ガイド管１２の他端に位置するキャップ１４に音がより少なく到達するようになる。すなわち、ガイド管１２の内部断面積を次第に減少させることによって、キャップ１４に到達する音がドライバーユニット１１に向かって反射する時に発生する騒音を減少させる。
【００５１】
例示的な本実施例で、音放射面１２ｂは図面に図示した通り、ガイド管１２の長さ方向に対して鋭角に延びる。前述した通り、音放射面１２ｂ上に音放射孔１２ａが形成されているため、音は音放射面１２ｂにより案内されて放射される。したがって、ガイド管１２の長さ方向と音放射面１２ｂの間の角度８が増加することによって指向性スピーカー１の指向性が改善される。
【００５２】
キャップ１４は、図５に図示した通り、他の状況ではガイド管１２の他端で開放されるガイド管１２の他端に設置されるか提供される。また、キャップ１４のガイド管１２の他端に対向する内面は、次第に減少する垂直長さを有するように形成され、実質的なＶ状の溝１４ａを有する。したがって、キャップ１４に到達する音は、キャップ１４の内面によって反射しながら互いに相殺干渉することになる。したがって、ガイド管１２の他端に到達する音がドライバーユニット１１に向かって反射する時に発生する騒音がさらに減少する。また、ガイド管１２の他端に対向するキャップ１４の内面上には、スポンジのような吸音材がさらに配置され得る。
【００５３】
前述した指向性スピーカー１は、図６に図示した通りディスプレイ装置２でサラウンドスピーカーとして使われ得る。
【００５４】
図６を参照すると、ディスプレイ装置２は、ディスプレイ装置の前面に画面を有するディスプレイユニット２１、およびディスプレイユニット２１を支持するスタンド２２を含む。例示的な本実施例に係る指向性スピーカー１は、ディスプレイユニット２１の上側後方部に内蔵されてサラウンドスピーカーとして使われる。
【００５５】
ディスプレイ装置２は、ディスプレイユニット２１の下部に配置された互いに対向する一対のフロントスピーカー３Ｌ、３Ｒ、および低周波数の音を再生するウーハーをさらに含む。
【００５６】
フロントスピーカー３Ｌ、３Ｒは、ディスプレイユニット２１の前方にある視聴者が前方に出力される音を聞くことができるようにするスピーカーである。例示的な本実施例によると、フロントスピーカー３Ｌ、３Ｒは音を下側に出力する。
【００５７】
一対の指向性スピーカー１は、互いに対向するようにディスプレイユニット２１の上部に対称的に配置され、ディスプレイユニット２１の上部の側面に向かって斜めに出力する。この場合、ディスプレイユニット２１の前面には画面が表示されているので、ディスプレイユニット２１の後方部には視聴者に見えない互いに対向する指向性スピーカー１が配置されている。
【００５８】
例示的な本実施例によると、二つの指向性スピーカー１にそれぞれ配置されたドライバーユニット１１は、両側を向くように整列され、両側に向かって音を発生させる。また、二つの指向性スピーカー１にそれぞれ設置されたスロート管１３およびガイド管１２は、ディスプレイユニット２１の側面方向に整列してドライバーユニット１１により発生する音をディスプレイユニット２１の両側に向かって案内する。
【００５９】
例示的な本実施例によると、指向性スピーカー１に含まれたガイド管１２は、ガイド管１２の音放射面１２ｂが上を向くように側方向に延びる。したがって、ガイド管１２の音放射孔１２ａを通じて放射される音は、音放射孔１２ａから上側に進行する。放射される音は、前述した通り、互いに補強および相殺干渉しながらガイド管１２の長さ方向に対応する方向に指向性を有する。したがって、指向性スピーカー１から出力される音は、ディスプレイユニット２１の中心から両側の上側に向かって斜めに伝播する。
【００６０】
前述した通り、指向性スピーカー１により発生する音は、ディスプレイユニット２１の中心から両側に向かって斜めに指向性を有して伝播するため、指向性スピーカー１がディスプレイユニット２１の中心領域に配置されてもサラウンド効果が維持され得る。
【００６１】
したがって、フロントスピーカー３Ｌ、３Ｒから出力される音は、ディスプレイ装置２が装着された棚や室内の底によって反射した後に視聴者に伝達され、指向性スピーカー１から出力される音は、ディスプレイユニット２１の両側の天井と壁によって反射した後に視聴者に伝達される。その結果、視聴者は、前方からまたは下側の前方からフロントスピーカー３Ｌ、３Ｒから出力される音および両側面から指向性スピーカー１から出力される音を聞くことによって、サラウンド効果を感じたり認知できる。
【００６２】
本実施例に係る指向性スピーカー１では、音放射孔１２ａがガイド管１２の上面上に形成されるか提供され、音がディスプレイユニット２１の中心から両側の上側に向かって出力されるが、一つ以上の他の例示的な実施例がこれに限定されるものではないということが理解できるはずである。例えば、一つ以上の他の例示的な実施例によると、指向性スピーカーは、ガイド管の音放射孔が下を向くかディスプレイ装置２の側面や中心領域を向くように整列され得る。
【００６３】
指向性スピーカーの音放射孔が下を向くように整列すると、指向性スピーカーによって発生する音は、ディスプレイユニットの両側の壁によって反射した後に視聴者に伝達される。したがって、サラウンド効果が指向性スピーカーによって提供され得る。
【００６４】
前述した通り、指向性スピーカーを使ってステレオ効果を得るためには、指向性スピーカーの設置位置はディスプレイユニットの上部に限定されない。例えば、一つ以上の他の例示的な実施例によると、指向性スピーカーはディスプレイユニットの上部および下部またはディスプレイユニットの中心部にも配置され得る。
【００６５】
例示的な本実施例によると、ガイド管１２の音放射孔１２ａは、ガイド管１２の一端から他端まで大きさが増加する。この構造は指向性スピーカー１により発生する音の指向性の改善に使われる。しかし、一つ以上の他の例示的な実施例がこれに限定されないということが理解できるはずである。例えば、図７に図示したような例示的な第２実施例によると、ガイド管１２−１の音放射孔１２ａ−１は同じ大きさを有する。この場合、指向性スピーカー１−１により発生する音の指向性は、指向性スピーカー１の指向性と比べて相対的に低くてもよい。
【００６６】
また、図８に図示したような例示的な第３実施例によると、音放射孔１２ａ−２は、ガイド管１２−２の一端から他端へ向かって大きさが減少し得る。前述した通り、音放射孔１２ａ−２の大きさが減少すると、指向性スピーカー１−２により発生する音の指向性をさらに減少させることができる。
【００６７】
したがって、指向性スピーカーによって発生する音の指向性は、前述した通り、音放射孔の大きさを変更することによって設計により選択的に調整され得る。
【００６８】
また、図９に図示したような例示的な第４実施例によると、同じ大きさを有する音放射孔１２ａ−３は一定の間隔で整列され得る。
【００６９】
また、図１０に図示したような例示的な第５実施例によると、同じ大きさを有する音放射孔１２ａ−４は、音放射孔１２ａ−４の間の間隔がドライバーユニット１１側に配置されたガイド管１２−４の一端から他端へ向かって減少するようにガイド管１２−４上に整列され得る。
【００７０】
前述した通り、音放射孔１２ａ−４の間の間隔が減少すると、より多くの音放射孔１２ａ−４が、ガイド管１２−４の一端（すなわち、スロート管１３が位置する一端）に近い音放射孔よりもガイド管１２−４の他端（すなわち、キャップ１４が位置する一端）に近い部分により多く配置される。また、ガイド管１２−４の他端にさらに近い音放射孔１２ａ−４を通じてより多くの音が放射される。したがって、ガイド管１２−４の長さ方向に対応する方向に放射される音が改善された指向性を有することができる。
【００７１】
また、図１１に図示したような例示的な第６実施例によると、同じ大きさを有する音放射孔１２ａ−５は、指向性スピーカー１−５の指向性を減少させるように、ドライバーユニット１１−５側に配置されたガイド管１２−５の一端から他端に向かって増加する間隔でガイド管１２−５上に整列され得る。
【００７２】
したがって、指向性スピーカー１により発生する音の指向性の程度は、前述した通り、音放射孔の間の間隔を変更することによって、設計によって選択的に調整され得る。
【００７３】
また、例示的な本実施例に係る指向性スピーカー１の指向性を増加させるように音放射面１２ｂが指向性スピーカー１の長さ方向に対して鋭角をなしているが、一つ以上の他の例示的な実施例はこれに限定されないことが理解できるはずである。例えば、図１２に図示したような例示的な第７実施例によると、指向性スピーカー１−６の指向性を減少させるように、ガイド管１２−６の音放射面１２ｂ−６が指向性スピーカー１の長さ方向に平行するように配置され得る。
【００７４】
また、図１３に図示したような例示的な第８実施例によると、ガイド管１２−７の音放射面１２ｂ−７は、指向性スピーカー１−７の指向性の程度を減少させるように、ガイド管１２の長さ方向に対して小さい角度θをなし得る。
【００７５】
したがって、指向性スピーカー１により発生する音の指向性の程度は、前述した通り、ガイド管１２の長さ方向と音放射面１２ｂの間の角度θを調整することによって、設計により選択的に調整され得る。
【００７６】
例示的な第１実施例によればスロート管１３の内部の幅が次第に増加するが、一つ以上の他の例示的な実施例がこれに限定されないということが理解できるはずである。例えば、図１４に図示したような例示的な第９実施例によると、スロート管１３−８は、ドライバーユニット１１に近く形成されるか提供され、スロート管１３−８の内部の隣接する部分に比べて比較的小さい幅を有するスロート部１３ａを有する。
【００７７】
詳細に前述した通り、多様な例示的な実施例に係るディスプレイ装置２に適用される指向性スピーカー１は、ガイド管１２の音放射孔１２ａ、音放射孔１２ａ間の間隔、および音放射面１２ｂとの角度８のうち少なくとも一つを制御することによって、指向性スピーカー１から伝播する音の多様な程度の指向性を有することができる。
【００７８】
開示した例示的な実施例では、ディスプレイユニット２１の中心から両側の上側に音を出力するために二つの指向性スピーカー１を配置したが、一つ以上の他の例示的な実施例はこれに限定されるものではないことが理解できるはずである。例えば、図１５に図示したような例示的な第１０実施例によると、ディスプレイ装置２’は、サラウンドスピーカーとして使われる指向性スピーカー４Ｌ、４Ｒ、５Ｌ、５Ｒおよび二つのフロントスピーカー３Ｌ、３Ｒも含むことができる。
【００７９】
この場合、二つの指向性スピーカー（以下、第１指向性スピーカー４Ｌ、４Ｒという）は、第１指向性スピーカー４Ｌ、４Ｒの音放射孔が上を向くように互いに対向するディスプレイユニット２１の上部に配置され得る。
【００８０】
また、二つの他の指向性スピーカー（以下、第２指向性スピーカー５Ｌ、５Ｒという）は、第２指向性スピーカー５Ｌ、５Ｒの音放射孔が側面を向くように互いに対向するディスプレイユニット２１の側部に配置され得る。
【００８１】
前述した通り、指向性スピーカーが整列されると、第１指向性スピーカー４Ｌ、４Ｒはディスプレイユニット２１の中心から両側に音を出力し、第２指向性スピーカー５Ｌ、５Ｒはディスプレイユニット２１の中心から上側に音を出力する。
【００８２】
したがって、第１指向性スピーカー４Ｌ、４Ｒから出力される音は、ディスプレイユニット２１の両側上の壁によってそれぞれ反射してディスプレイユニット２１から前方方向に進行し、第２指向性スピーカー５Ｌ、５Ｒから出力される音は、ディスプレイユニット２１上の天井によってそれぞれ反射してディスプレイユニット２１から前方方向に進行する。
【００８３】
したがって、ディスプレイユニット２１の前にあるディスプレイユニット２１の視聴者は、前方からフロントスピーカー３Ｌ、３Ｒから出力される音、両側から第１指向性スピーカー４Ｌ、４Ｒから出力される音、および上側から下側へ向かう第２指向性スピーカー５Ｌ、５Ｒから出力される音を受信することによって、ステレオ効果を感じたり認知できる。
【００８４】
第２指向性スピーカー５Ｌ、５Ｒは、第２指向性スピーカー５Ｌ、５Ｒの音放射孔が側面を向くように互いに対向するディスプレイユニット２１の側部に配置され得るが、一つ以上の他の例示的な実施例はこれに限定されないことが理解できるはずである。例えば、他の例示的な実施例によると、第２指向性スピーカー５Ｌ、５Ｒは、第２指向性スピーカー５Ｌ、５Ｒの音放射孔がディスプレイ装置２’の中心領域を上を向くように、下を向くように、またはこのような中心領域を向くように、互いに対向するディスプレイユニット２１の側部に配置され得る。
【００８５】
音放射孔１２ａは前述した実施例において円形状に形成されるか提供されたが、一つ以上の他の例示的な実施例はこれに限定されないことが理解できるはずである。例えば、一つ以上の他の例示的な実施例で、音放射孔は、楕円形のスリット状または多様な異なる形状に形成されるか提供され得る。
【００８６】
また、前述した実施例では、ガイド管１２の内部が略長方形の断面を有するように形成されるか提供されたが、一つ以上の他の実施例では断面がこれに限定されない。例えば、ガイド管の内部は、円形、長方形、または楕円形の断面などの対称となる断面またはこれらの組合せで形成された非対称断面で形成されるか提供され得る。
【００８７】
本願で説明した例示的な実施例は説明のための意味でのみ考慮すべきであり、限定を目的としたものではないという点を理解しなければならない。例えば、前記説明で単一要素は複数の要素に分割され得、前記説明で複数の要素は単一要素に結合され得る。それぞれの例示的な実施例内の特徴または形態の説明は、通常的に他の例示的な実施例の他の類似する特徴または形態に対して利用可能なものとして考慮されるべきである。
【００８８】
いくつかの例示的な実施例を図示して説明したが、通常の技術者であれば、特許請求の範囲とその均等物で範囲が定義される本開示内容の原理と思想から逸脱することなく、これら例示的な実施例に変更を加えることができるということが理解できるはずである。
【符号の説明】
【００８９】
１、１−１、１−２、１−３、１−４、１−５、１−６、１−７、４Ｌ、４Ｒ、５Ｌ、５Ｒ  指向性スピーカー
２、２’  ディスプレイ装置
３Ｌ、３Ｒ  フロントスピーカー
８  角度
１１、１１−５  ドライバーユニット
１１ａ  電磁石
１１ｂ  ダイアフラム
１２、１２−１、１２−２、１２−３、１２−４、１２−５、１２−６、１２−７  ガイド管
１２ａ、１２ａ−１、１２ａ−２、１２ａ−３、１２ａ−４、１２ａ−５、１２ａ−６、１２ａ−７  音放射孔
１２ｂ、１２ｂ−３、１２ｂ−４、１２ｂ−５、１２ｂ−６、１２ｂ−７  音放射面
１３、１３−８  スロート管
１３ａ  スロート部
１４  キャップ
１４ａ  溝
２１  ディスプレイユニット
２２  スタンド
【図１】
2020501453.tif 000003
【図２】
2020501453.tif 000004
【図３】
2020501453.tif 000005
【図４】
2020501453.tif 000006
【図５】
2020501453.tif 000007
【図６】
2020501453.tif 000008
【図７】
2020501453.tif 000009
【図８】
2020501453.tif 000010
【図９】
2020501453.tif 000011
【図１０】
2020501453.tif 000012
【図１１】
2020501453.tif 000013
【図１２】
2020501453.tif 000014
【図１３】
2020501453.tif 000015
【図１４】
2020501453.tif 000016
【図１５】
2020501453.tif 000017
【国際調査報告】
2020501453.tif 000018
2020501453.tif 000019